(57)【要約】【課題】  携帯電話端末の如き無線通信端末装置を使用して、効果的な情報収集ができるようにする。【解決手段】  他の端末装置と無線通信で接続させ、その接続させた他の端末装置に蓄積された情報から、当該無線通信端末装置が送ったキーワードに関連する情報の検索結果を取得し、その取得した情報を表示させる。必要により、インターネット検索や、自らの端末装置内の情報検索も行い、それらの検索結果をカテゴリ別に一覧などで表示させて、必要とする情報を効率良く収集できるようにした。【選択図】      図５
2006190114.tif 000002
【特許請求の範囲】
【請求項１】
他の端末装置と無線通信で接続する接続手段と、
前記接続手段による通信で、他の端末装置に蓄積された情報から、前記接続手段が送ったキーワードに関連する情報の検索結果を取得する検索結果取得手段と、
前記検索結果取得手段で取得された情報を表示させる表示手段とを備えたことを特徴とする
無線通信端末装置。
【請求項２】
請求項１記載の無線通信端末装置において、
前記接続手段は、インターネット上から情報を検索する検索サイトへも接続し、前記検索結果取得手段で前記検索サイトでの検索結果についても取得して、前記表示手段に表示させることを特徴とする
無線通信端末装置。
【請求項３】
請求項１記載の無線通信端末装置において、
前記接続手段が無線接続する他の端末装置は、予め登録されたグループの無線通信端末装置であることを特徴とする
無線通信端末装置。
【請求項４】
請求項３記載の無線通信端末装置において、
前記予め登録されたグループの無線通信端末装置で、前記キーワードに基づいて入力されたメッセージを検索結果取得手段が取得して、前記表示手段に表示させることを特徴とする
無線通信端末装置。
【請求項５】
請求項１記載の無線通信端末装置において、
前記検索結果取得手段は、当該無線通信端末装置内の情報蓄積手段に蓄積された情報から、前記キーワードに関連する情報の検索結果を取得して、前記表示手段に表示させることを特徴とする
無線通信端末装置。
【請求項６】
請求項１記載の無線通信端末装置において、
前記検索結果取得手段が取得する検索結果は、前記他の端末装置に蓄積された情報の中から、公開を許可した情報を検索した結果である
無線通信端末装置。
【請求項７】
請求項１記載の無線通信端末装置において、
前記検索結果取得手段で取得した検索結果は、その検索対象のカテゴリごとに分けて、前記表示手段に表示させるようにしたことを特徴とする
無線通信端末装置。
【請求項８】
請求項１記載の無線通信端末装置において、
前記検索結果取得手段で取得した検索結果は、検索対象となるカテゴリ又は情報の種類に応じて、重み付けを行って検索した結果であることを特徴とする
無線通信端末装置。
【請求項９】
無線通信端末装置で情報の検索を行うプログラムにおいて、
他の端末装置と無線通信で接続する接続ステップと、
前記接続ステップによる通信で、他の端末装置に蓄積された情報から、入力したキーワードに関連する情報の検索結果を取得する検索結果取得ステップと、
前記検索結果取得ステップで取得された情報を表示させる表示ステップとを備えたことを特徴とする
プログラム。
【請求項１０】
請求項９記載のプログラムにおいて、
前記接続ステップは、前記他の端末装置と無線通信で接続させる他に、インターネット上から情報を検索する検索サイトへも接続し、
前記検索結果取得ステップで前記検索サイトでの検索結果についても取得して、前記表示ステップで表示させることを特徴とする
プログラム。
【請求項１１】
他の端末装置と無線通信で接続する接続手段と、
情報を蓄積する蓄積手段と、
前記接続手段による通信で、他の端末装置から指示された検索用キーワードに基づいて、前記蓄積手段に蓄積された情報を検索し、検索結果を前記接続手段から前記他の端末装置に返送する検索手段とを備えたことを特徴とする
無線通信端末装置。
【請求項１２】
請求項１１記載の無線通信端末装置において、
蓄積手段に蓄積された情報の内で、前記他の端末装置からの検索に使用することが許可された情報だけから検索することを特徴とする
無線通信端末装置。
【請求項１３】
請求項１１記載の無線通信端末装置において、
前記検索手段で検索があったことを表示する表示手段を備えたことを特徴とする
無線通信端末装置。
【請求項１４】
請求項１３記載の無線通信端末装置において、
前記表示手段で検索があったことを表示した場合に、前記他の端末装置に対して送るメッセージの入力画面を前記表示手段で表示させ、
前記入力画面に基づいたメッセージ入力があると、前記接続手段は、入力されたメッセージを前記他の端末装置に対して送信することを特徴とする
無線通信端末装置。
【請求項１５】
他の端末装置と無線通信で接続する接続ステップと、
当該端末装置が収集した情報又は入力された情報を蓄積する蓄積ステップと、
前記接続ステップによる通信で、他の端末装置から指示された検索用キーワードに基づいて、前記蓄積ステップで蓄積された情報を検索し、検索結果を前記他の端末装置に返送する検索ステップとを備えたことを特徴とする
プログラム。
【請求項１６】
請求項１５記載のプログラムにおいて、
前記検索ステップで検索があったことを表示し、前記他の端末装置に対して送るメッセージの入力があると、その入力されたメッセージを前記他の端末装置に対して送信する処理を行うことを特徴とする
プログラム。
【発明の詳細な説明】
【技術分野】
【０００１】
本発明は、例えば、携帯電話端末の如き無線通信端末装置、及びその通信端末装置での機能を実現するプログラムに関する。
【背景技術】
【０００２】
従来、ユーザが何らかのキーワードに関する情報の検索を行う場合、例えばインターネットに接続可能なコンピュータ装置などの端末装置を用意する。そして、その端末装置で、インターネット上に用意された検索サイトにアクセスし、検索したいキーワードを入力する。このようにすることで、キーワードに基づいて検索された結果として、該当する情報が得られるホームページのアドレスなどが表示されて、その表示されたアドレスのホームページの表示に移行させて、必要な情報を取得できる。
【０００３】
このような情報の検索は、インターネットに接続可能な携帯電話端末を使用しても、同様に可能である。特許文献１には、携帯電話端末を使用してインターネットにアクセスして、情報検索を行うことについての開示がある。
【０００４】
また、従来の携帯電話端末で可能な情報検索としては、例えば特許文献２に記載のように、電話端末そのものに内蔵された電話帳機能で記憶された名前や電話番号などを、名前などに基づいて検索できる機能を有する程度であった。
【特許文献１】特開２００１−３３７９５４号公報
【特許文献２】特開平１１−４１３３８号公報
【発明の開示】
【発明が解決しようとする課題】
【０００５】
ところが、インターネットの検索サイトで検索できる情報は、検索サイトに登録されているホームページに限られ、ある程度公的な機関、大学などの研究機関、個人のサイトであってもそれなりの情報を掲載させているサイトに限られてしまう。
【０００６】
検索目的によっては、そのようなサイトの検索でも目的が達成される場合もあるが、そのような比較的オフィシャルな情報だけではなく、もっと個人的な情報を収集したい場合もあるが、従来の検索では検索できる範囲に限度があった。特に、ホームページに掲載されていない情報を検索して収集することは不可能であった。
【０００７】
本発明はかかる点に鑑みてなされたものであり、携帯電話端末の如き無線通信端末装置を使用して、効果的な情報収集ができるようにすることを目的とする。
【課題を解決するための手段】
【０００８】
本発明は、他の端末装置と無線通信で接続させ、その接続させた他の端末装置に蓄積された情報から、当該無線通信端末装置が送ったキーワードに関連する情報の検索結果を取得し、その取得した情報を表示させるようにしたものである。
【０００９】
このようにしたことで、無線通信端末装置を使用して、他の端末装置に蓄積された情報を検索して収集できるようになり、検索を行う範囲や検索キーワードなどの選定で、必要とする情報を収集できるようになる。
【発明の効果】
【００１０】
本発明によると、無線通信端末装置を使用して、他の端末装置に蓄積された情報を検索して収集できるようになり、検索を行う範囲や検索キーワードなどの選定で、必要とする情報を収集できるようになる。
【００１１】
この場合、インターネット上から情報を検索する検索サイトへも接続し、その検索サイトでの検索結果についても取得して表示させることで、より広い範囲の検索が可能になる。
【００１２】
また、無線接続する他の端末装置は、予め登録されたグループの無線通信端末装置であることで、その登録されたグループの端末装置の間で情報を共有できるようになる。
【００１３】
また、予め登録されたグループの無線通信端末装置で、キーワードに基づいて入力されたメッセージを取得して表示させることで、他の端末装置を所持するユーザが検索キーワードに対するコメントなどを検索しているユーザに送って表示させることができるようになる。
【００１４】
また、当該無線通信端末装置内に蓄積された情報から、キーワードに関連する情報の検索結果を取得して表示させることで、自らの端末装置内にダウンロードされた情報なども同時に検索できるようになる。
【００１５】
また、検索結果は、他の端末装置に蓄積された情報の中から、公開を許可した情報を検索した結果であることで、例えば端末装置内の公開したくない情報については、外部から検索されて流出することがなく、情報の機密性が良好に確保されながら、検索を行うことができる。
【００１６】
また、取得した検索結果は、その検索対象のカテゴリごとに分けて表示させるようにしたことで、検索結果がカテゴリごとに判り易くまとめて表示されるようになる。
【００１７】
また、取得した検索結果は、検索対象となるカテゴリ又は情報の種類に応じて、重み付けを行って検索した結果であることで、より良好な情報検索が可能になる。
【００１８】
また本発明においては、他の端末装置から指示された検索用キーワードに基づいて、蓄積された情報を検索し、検索結果を他の端末装置に返送する無線通信端末装置としたことで、外部からの要求で、その端末装置が蓄積した情報を、効果的に検索できるようになる。
【００１９】
この場合、蓄積された情報の内で、他の端末装置からの検索に使用することが許可された情報だけから検索することで、端末装置内の情報の機密性が良好に確保されながら、検索を行うことができる。
【００２０】
また、検索があったことを表示する表示手段を備えたことで、外部からの要求で検索したことを、その端末装置のユーザに良好に告知できるようになる。
【００２１】
また、検索があったことを表示した場合に、他の端末装置に対して送るメッセージの入力画面を表示させ、その入力画面に基づいたメッセージ入力があると、入力されたメッセージを他の端末装置に対して送信することで、他の端末装置を所持したユーザに効率良くメッセージを伝えることができる。
【発明を実施するための最良の形態】
【００２２】
以下、本発明の一実施の形態を、添付図面を参照して説明する。
本例においては、携帯電話端末として構成された無線通信端末装置を使用したものである。
【００２３】
図１は、本例の携帯電話端末装置の形状の例を示した図である。携帯電話端末装置１０としては、ここでは一般的な携帯電話端末の形状の例を示してあり、液晶所表示パネルなどで構成された表示部１６と、操作部（操作キー）１７などが配置してある。ここでは、比較的大型の表示部１６を備えて、後述する検索画面の表示を行うようにしてある。また、基地局からの電波の受信状況の表示や、電池残量などの、携帯電話端末として一般的な図形表示なども、図１に示すように画面の隅などで行うようにしてある。
【００２４】
次に、本例の携帯電話端末装置１０の内部構成例を、図２を参照して説明する。本例の携帯電話端末装置１０は、無線電話用の基地局と無線通信を行うための無線電話通信用アンテナ１１を備え、そのアンテナ１１が無線電話通信用の通信回路１２に接続してあり、制御部１９の制御で、基地局との間で無線通信を行うようにしてある。通信回路１２で通話用の通信を行う際には、受信した音声データを音声データ処理部１３に供給して音声データの受信処理を行ってからスピーカ１４に供給して出力させ、また、マイクロフォン１５が拾って音声データ処理部１３で処理された送信用の音声データを通信回路１２に供給して送信させる。
【００２５】
この携帯電話端末装置１０は、液晶ディスプレイなどで構成された表示部１６と、操作キーなどで構成された操作部１７を備える。表示部１６には、メール文、ウェブにアクセスさせた画面などを表示させることができ、操作部１７は、電話番号やメール文などの入力操作や、各種モード設定などが行える。後述する検索画面についても、表示部１６に表示させる。
【００２６】
これらの端末装置１０内の各ブロックは、制御ライン２３を介して制御部１９などと接続してあり、またデータライン２４を介してデータ転送を行える構成としてあり、メモリ１８に必要なデータを記憶させるようにしてある。このメモリ１８には、携帯電話端末として必要なデータだけでなく、後述するＩＣカード機能部４０で必要なデータについても記憶させてもよい。また、メモリ１８とは別に、大容量のデータ記憶手段であるハードディスクドライブ装置３０を備え、この端末装置１０に入力されたデータやダウンロードされたデータなどを蓄積するようにしてある。
【００２７】
また、この端末装置１０への電話回線を介した着信や、各種警告を行うために、端末そのものを振動させる振動モータなどで構成される振動部２１と、発光ダイオードなどで構成される発光部２２とを備え、制御部１９の制御で、振動や発光を行う。これらの振動部２１や発光部２２は、携帯電話端末として着信などを知らせる告知手段として使用される。
【００２８】
また、本例の携帯電話端末１０は、非接触ＩＣカード機能部４０を備える。この非接触ＩＣカード機能部４０は、アンテナ４２が接続された課金データ制御部４１を有し、リーダ・ライタとの間で、数cm程度の非常に近接した距離での近接無線通信を行う。この近接無線通信を行う際には、リーダ・ライタ側からの電波を受信して得られる電力で、課金データ制御部４１を作動させることも可能であるが、本例においては携帯電話端末１０内の電源回路２４から供給される電源で、課金データ制御部４１を作動させるようにしてある。
【００２９】
課金データ制御部４１は、ＩＣカード機能を実行する際に、課金や認証に必要なデータをメモリ１８（又は課金データ制御部４１内の図示しないメモリ）から読み出して、リーダ・ライタと近接無線通信でやり取りを行う。例えば、交通機関の乗車券として機能させる場合には、乗車券（定期券）として有効な区間、有効期間、或いは乗車券として引き落とすことが可能なチャージ金額などのデータや、この端末（ＩＣカード）の所持者に関する個人情報などを、課金データ制御部４１がリーダ・ライタに送って、課金処理や認証処理を行うようにしてある。映画やコンサートなどのチケット、会員証、代金決済用のカード、クレジットカードなどとして使用する場合には、それらの認証に必要な情報についても、やり取りされる。
【００３０】
さらに本例の携帯電話端末装置１０は、カメラ部５０を備え、静止画又は動画の撮影が行える構成としてあり、撮影された画像データや音声データは、ハードディスクドライブ装置３０でハードディスクなどに記録（記憶）させるようにしてある。さらに、音楽再生部６０を備えて、ハードディスクなどに記録（記憶）された音楽データのスピーカ又は得ヘッドホンからの再生についても行えるようにしてある。
【００３１】
次に、本例の携帯電話端末装置１０を使用して行われる処理について説明する。本例においては、携帯電話端末装置１０を使用して、外部との無線通信により得た情報、或いは自らの端末装置内の情報により、複合検索が行えるようにしてある。この検索処理時には、例えば携帯電話端末装置１０内の制御部１９が、実装された検索用のプログラムに基づいて、検索を実行する検索手段及び検索結果を取得する検索結果取得手段として機能するようにしてある。以下の説明では、本例における複合検索を、モバイル統合検索と称する。
【００３２】
このモバイル統合検索を行うための端末内でのデータ管理構成を、図３を参照して説明する。本例においては、端末装置１０に組み込まれた機能（プログラム）として、図３の最上段に示すように、上述したモバイル統合検索機能用の検索プログラムの他に、メールの送受信やその送受信したメールデータの管理を行うメーラのプログラムと、カメラ部５０で撮影された画像やダウンロードした画像を管理するアルバム機能のプログラムと、スケジュール管理を行うプログラムなどが実装させてある。
【００３３】
これらの機能は、それぞれデータ処理を行うデータ操作部と、データの受け渡しを行う通信部とで構成されて、端末のファイルシステムやリレーショナルデータベースへの記憶や、その記憶されたデータの読み出しなどを行って、それぞれの機能の処理が行われる。データ操作部は、例えばＤＯＭ(Document Object Model)と称されるコンテンツを動的に変更するためのインターフェースや、ＸＳＬＴ(XML Stylesheet Language Transformations)と称される他の文書に変換するための簡易言語等の、共通の技術を適用するようにしてある。通信部は、ＳＯＡＰ(Simple Object Access Protocol)などのプラットフォーム・アプリケーションに依存しない通信方式を適用するようにしてある。ファイルシステムやリレーショナルデータベースは、端末装置１０のメモリ１８やハードディスクに記憶されるデータで構成されるもので、ファイルシステムは画像データ、音楽データなどのデータ群が蓄積され、リレーショナルデータベースはメールデータなどの電話通信で送受信されるデータ群が蓄積される。
【００３４】
ここで、本例においては、それぞれの機能で使用されるデータは、インターネットなどで共通に使用される言語である、ＸＭＬ(eXtensible Mark-up Language)形式の言語で表現されるようにして、相互運用性に優れた、アプリケーションに依存しないデータ表現としてある。即ち、例えば、モバイル統合検索で示される検索フロントエンド表現ＸＭＬ、メーラで示される受信メール一覧表現ＸＭＬ、アルバム機能で示される画像一覧表現ＸＭＬ、スケジューラで示されるスケジュール一覧表現ＸＭＬなどで各機能の画像を表示するようにしてある。実際の検索処理や、画像データなどの符号化，復号化などのデータ処理については、端末装置１０の制御部１９の制御で実現されるコンテンツエンジンで実行されるようにしてあり、このコンテンツエンジンを有するデータ操作部側で全てのアプリケーションデータの管理を統合的に行うようにしてある。
【００３５】
そして図３に示すように、本例のモバイル統合検索機能用の検索プログラムは、他の機能のプログラムで表現されたデータを検索する処理を行って、その検索結果を検索結果画面の表現ＸＭＬとして作成するようにしてある。或いは、他の端末装置から検索が指示された場合には、検索プログラムで検索された結果のデータを、他の端末装置側に送るようにしてある。なお、検索を行う際には、各機能のデータ毎に、記憶情報を公開するか、非公開とするかを示すフラグなどのデータを設定できるようにしてあり、その設定データで公開することが示されたデータだけを検索対象の情報とする。但し、自端末内の情報検索を行う場合には、公開、非公開に限らず検索対象とする。記憶情報を公開するか否かのデータは、機能（プログラム）単位で付与するようにしてもよい。例えば、画像データと音楽データだけを公開し、メーラやスケジューラが管理するメールデータやスケジュールデータなどは全て非公開としてもよい。検索される相手によって、公開する範囲を変化させるようにしてもよい。
【００３６】
図４は、本例でのモバイル統合検索時の他の端末などとの通信状態の例を示した図である。図４では、既に説明した携帯電話端末装置１０を２台用意して、それぞれを端末装置１０ａ，１０ｂとしてある。端末装置１０ａがモバイル統合検索を実行する端末であり、端末装置１０ｂが、端末装置１０ａからの指示で情報検索される端末である。また、無線電話回線などを介した無線通信で、検索アプリケーションサーバ１１０に接続されて、インターネット１２０上の情報の検索も行うようにしてある。端末装置１０ａと端末装置１０ｂとの間の検索のやり取りについては、ここではＩＭＳコア１３０を使用するようにしてある。ＩＭＳコアは、ＩＰマルチメディアサブシステムで使用される仕組みであり、このＩＰマルチメディアサブシステムは、３ＧＰＰ(3rd Generation Partnership Project)と称される第３世代移動体通信システム用のデータ交換システムの１つである。
【００３７】
ＩＭＳコア１３０としては、ここでは、セッションイニシエートプロトコルサーバ（ＳＩＰサーバ）と、プレゼンスサーバと、グループリストマネージメントサーバ（ＧＬＭＳ）とを備える。ループリストマネージメントサーバは、本例での検索用のデータ交換処理を行う端末のグループのメンバなどを規定するようにしてあり、プレゼンスサーバは、グループ内のメンバを構成する端末の状態（電源オン・オフの状態、位置登録された所在地など）の管理を行うようにしてある。
【００３８】
このＩＭＳコア１３０を介した無線通信で、複数台の端末装置１０ａ，１０ｂ……の間でデータ交換が行われ、本例においてはそのデータ交換で、例えば端末装置１０ａから端末装置１０ｂに検索用のキーワードとなるデータを送り、その検索結果としてのデータを、端末装置１０ｂから端末装置１０ａに返送できるようにしてある。
【００３９】
なお、ここではＩＭＳコア１３０を介して複数台の端末装置１０ａ，１０ｂ……間でデータ交換を行う例を示したが、このようなデータ交換用のシステムを利用せずに、直接各端末装置間を無線接続させて、データ交換を行うようにして、検索用のデータなどを伝送させるようにしてもよい。
【００４０】
次に、本例の携帯電話端末装置１０でモバイル統合検索を行う際の処理例について説明する。まず、図５を参照して、本例におけるモバイル統合検索の処理状態の概要を説明すると、携帯電話端末装置１０でモバイル統合検索を行う際には、検索を行う範囲を設定するようにしてある。具体的には、例えば図１に示した端末装置１０の表示画面例で示すように、モバイル統合検索時に最初に表示される画面で、検索用のキーワードの入力個所と、その入力されたキーワードでの検索を指示するボタン表示とが用意してあると共に、検索するカテゴリの選択画面が表示されている。検索するカテゴリとしては、図１の例では、インターネット、コミュニティ、友達、メール、端末内情報、スケジュールの６つに分けてあり、その６つのカテゴリの内の上から３つのカテゴリにチェックして、検索する範囲に選択している例としてある。
【００４１】
このようなカテゴリ選択を行うことで、図５に示すように、携帯電話端末装置１０でモバイル統合検索を行う際には、検索を行う範囲として用意された、インターネットａと、コミュニティｂと、登録された端末（１台又は複数台）で公開された情報ｃと、自らの端末装置１０内に記憶された情報ｄとの中から、選択されたカテゴリを検索範囲として、検索を行って、その結果を携帯電話端末装置１０の表示部に表示させるようにしてある。
【００４２】
なお、コミュニティｂの検索としては、例えばその指示されたコミュニティｂのサイトを運用しているサーバにインターネットなどを介してアクセスして、そのアクセスしたサーバに蓄積された情報（該当するコミュニティに参加しているメンバから書き込まれた情報など）からの検索などが行われる。また、登録された端末で公開された情報ｃの検索としては、モバイル統合検索の他端末検索（友達検索）を行う携帯電話端末装置を予め登録しておく。登録時には、例えば相手の端末装置に対してメールなどで承諾を求めるようにしてもよい。また、通話履歴のある端末装置やメールの送信又は受信履歴のある端末装置が、モバイル統合検索時の他端末検索を行う携帯電話端末装置として、自動的に登録されるようにしてもよい。また、他端末として登録される端末として、図４に示したＩＭＳコア１３０などのシステムで対応が可能であれば、インターネット上に接続されたコンピュータ装置などの携帯電話端末以外の端末装置であってもよい。
【００４３】
図６のフローチャートは、本例のモバイル統合検索の開始から表示までの処理例を示したものである。図６に従って説明すると、まず携帯電話端末装置１０のメニュー画面などからの操作でモバイル統合検索の開始が指示されると（ステップＳ１１）、ユーザは表示される画面中にキーワードを入力すると共に（ステップＳ１２）、検索カテゴリを選択する（ステップＳ１３）。
【００４４】
ここまでの操作があり、検索開始ボタンが押される操作があると、検索が実行される。検索処理としては、検索カテゴリでインターネットが選択されたか否か判断し（ステップＳ１４）、インターネットが選択された場合には、インターネットの検索サイトに接続させて、入力されたキーワードを検索サイト側に送り、インターネットでの検索を実行させる（ステップＳ１５）。
【００４５】
次に、検索カテゴリでコミュニティが選択されたか否か判断し（ステップＳ１６）、コミュニティが選択された場合には、コミュニティの検索サイトに接続させて、入力されたキーワードを検索サイト側に送り、インターネットでの検索を実行させる（ステップＳ１７）。
【００４６】
次に、検索カテゴリで他端末が選択されたか否か判断し（ステップＳ１８）、他端末検索が選択された場合には、ＩＭＳコア１３０（図４）側に接続させて、入力されたキーワードを送り、登録された他の端末装置に記憶された情報の検索を実行させる（ステップＳ１９）。
【００４７】
次に、検索カテゴリで自端末が選択されたか否か判断し（ステップＳ２０）、自端末検索が選択された場合には、自端末内で、選択された機能について記憶された情報の検索を実行させる（ステップＳ２１）。
【００４８】
そして、ここまでの検索で得られた結果を、端末装置内での処理で、カテゴリごとの一覧画面を作成し、その作成された一覧画面を表示部１６に表示させる（ステップＳ２２）。一覧画面の表示例については後述するが、検索で探し出された項目の一覧を表示する画面であり、端末装置１０の制御部１９は、その表示中のいずれか１つの項目の選択があるか否か判断し（ステップＳ２３）、選択されると、その項目についての詳細情報を表示する処理に移る（ステップＳ２４）。詳細情報の表示が、その時点で端末装置に蓄積された情報から可能である場合には、直ちに表示画面を作成させ、指定された端末やサイトから情報を取得する必要がある場合には、該当する端末やサイトに接続させて情報を取得して、表示させる。また、その検索された情報を表示させる際には、その情報が検索（蓄積）された先へのリンクができるように、リンク先が表示されるようにしてある。
【００４９】
図７のフローチャートは、この詳細表示などで、端末装置が外部とリンクさせる必要がある場合の処理例である。まず、表示されたリンク先が選択されたか否か判断し（ステップＳ３１）、リンク先が選択された場合に、インターネット上のアドレスであるか否か判断し（ステップＳ３２）、インターネット上のアドレスである場合には、インターネットで該当するアドレスに接続させ、指定された情報を表示させる処理を行う（ステップＳ３３）。
【００５０】
また、リンク先がコミュニティであるか否か判断し（ステップＳ３４）、コミュニティである場合には、該当するコミュニティサーバに接続させて、コミュニティサーバが運用しているサイトの該当する情報の画面を表示させる処理を行う（ステップＳ３５）。
【００５１】
また、リンク先が特定の他の端末装置であるか否か判断し（ステップＳ３６）、その特定の端末装置である場合には、その端末装置にメールの送信を行うか、或いは通話を行うかの何れであるか判断する（ステップＳ３７）。この選択は、例えばユーザ操作で行われる。メールの送信が選択された場合には、該当する端末に問い合わせメールを送信し（ステップＳ３８）、通話が選択された場合には、該当する端末への発呼処理を行う（ステップＳ３９）。
【００５２】
次に、他の端末装置から内部に蓄積された情報の検索を指示された携帯電話端末装置１０での処理例を、図８のフローチャートを参照して説明する。図８では、端末装置１０ａから端末装置１０ｂに検索指示があった場合の例であり、まず検索キーワードが端末装置１０ａから伝送されると（ステップＳ４１）、端末装置１０ｂ内では、該当するキーワードに関連するデータの記憶があるか否か判断し（ステップＳ４２）、関連するデータがある場合には、端末装置１０ｂ内での処理で自動的に検索して（ステップＳ４３）、その検索結果のデータを端末装置１０ａ側に送信する（ステップＳ４４）。このとき、例えば端末装置１０ｂでは、表示部で、端末装置１０ａからの問い合わせに回答したことを表示させる（ステップＳ４５）。この表示を行ったときには、追加するコメントがあるか否かを問い合わせる表示を同時に行い、その表示に従って追加情報があることが選択されたか否か判断し（ステップＳ４６）、追加情報がある場合には、端末装置１０ａに送信するメッセージの入力画面を表示させて、メッセージを入力させる（ステップＳ４７）。このようにしてメッセージの入力があると、その入力が完了した時点で、入力されたメッセージが端末装置１０ａに送信される（ステップＳ４８）。このメッセージ送信については、検索用のデータ伝送とは別のシステムを利用したメール送信処理でもよい。
【００５３】
次に、各処理状態での表示例について説明する。まず、本例のモバイル統合検索を開始させた端末装置１０での表示例を、図９に示す。モバイル統合検索を開始させると、図９（ａ）に示すように、キーワードの入力及び検索カテゴリの選択と検索開始などを行う初期画面が表示される。この画面に基づいて入力を行って、検索開始操作を行うと、検索結果画面の表示に移る。
【００５４】
図９（ａ）の例では、キーワードとして「映画ＡＢＣ」と入力させた場合としてある。図９（ｂ），（ｃ），（ｄ）は、それぞれ検索結果画面の例であり、ここでは、１つの画面に２つのカテゴリの結果一覧を表示させるようにした例である。即ち、図９（ｂ）は、インターネットの検索結果一覧とコミュニティ検索結果一覧とを表示させてあり、図９（ｃ）は、友達（他端末）の検索結果一覧と自端末内のメールデータの検索結果一覧とを表示させてあり、図９（ｄ）は、自端末内に蓄積された画像や音楽データなどの情報の検索結果一覧と自端末内のスケジュールデータの検索結果一覧とを表示させてある。但し、それぞれの検索結果で表示できるスペースには限りがあるので、それぞれのカテゴリごとに次の一覧を表示させるためのボタン表示「ｎｅｘｔ」を用意してあり、検索で一致度が高い項目から順に表示させるようにしてある。また、図９（ｂ），（ｃ），（ｄ）の表示状態では、例えば最下段にボタン表示「次カテゴリ」が用意してあり、この個所の操作で、図９（ｂ），（ｃ），（ｄ）の表示が順に切換わって、表示させるカテゴリを選択できるようにしてある。
【００５５】
そして、例えばそれぞれの表示項目のタイトル部分などを選択する操作があると、その検索項目についての情報の詳細が表示され、必要によりその情報の蓄積先にリンクすることができる。図９（ｂ），（ｃ），（ｄ）に示すように表示された検索結果は、例えば、検索対象となるカテゴリ又は検索する情報の種類に応じて、予め何らかの重み付けを行って検索した結果としてもよい。
【００５６】
図１０は、他の端末装置からの指示で検索要求があった場合（即ち図８のフローチャートに示した処理実行時）の、携帯電話端末装置での表示例を示した図である。他の端末装置からの指示で検索があった際には、例えば図１０（ａ）に示すように、誰から検索があったかと検索キーワードなどを表示させる。この表示を行った後に、例えば図１０（ｂ）に示すように、検索した結果の表示と、追加して送るメッセージがあるか否かを問い合わせる表示とを行う。ここで、メッセージありが選択された場合には、例えば図１０（ｃ）に示すように、メッセージの入力画面を表示させ、相手の端末装置に入力されたメッセージを送信させる。
【００５７】
なお、ここまで説明した実施の形態では、携帯電話端末に本発明の複合検索する機能を予め組み込むようにしたが、本発明の複合検索機能をプログラム化して、同様の無線通信機能を備えた端末装置にインストールして、同様の処理を行うようにしてもよい。端末装置間のデータ交換を行うシステムについても、上述した３ＧＰＰシステム用のＩＭＳコアを適用した例に限定されるものではない。
【００５８】
また、上述した実施の形態で各図に示した端末の構成や表示例は一例を示したものであり、これらの例に限定されるものではない。検索を行うカテゴリの分け方についても、上述した例は一例を示したものであり、その他のカテゴリ分けの構成でもよい。
【００５９】
また、上述した実施の形態では、複数のカテゴリの検索を同時に行う例について示したが、いずれか１つのカテゴリについてだけ検索を行う場合にも適用可能である。例えば、登録されたグループを構成する他の端末装置（いわゆる友達として登録された端末装置）に蓄積された情報だけを検索するようにしてもよい。
【００６０】
さらに、他の端末装置に蓄積された情報の検索を行う際には、その検索対象となる端末装置のグループとして、予め登録された端末装置で構成されるグループとする他に、様々な条件でシステムを運用する側が探し出した端末装置であってもよい。
【図面の簡単な説明】
【００６１】
【図１】本発明の一実施の形態による構成装置の例を示した正面図である。
【図２】本発明の一実施の形態による装置構成例を示したブロック図である。
【図３】本発明の一実施の形態による端末装置内のデータ管理例を示した説明図である。
【図４】本発明の一実施の形態による端末間などの通信例を示した説明図である。
【図５】本発明の一実施の形態による複合検索例を示した説明図である。
【図６】本発明の一実施の形態による検索開始から表示までの処理例を示したフローチャートである。
【図７】本発明の一実施の形態による表示されたリンク先選択時の処理例を示したフローチャートである。
【図８】本発明の一実施の形態による他の端末に問い合わせた場合の処理例を示したフローチャートである。
【図９】本発明の一実施の形態による表示例を示した説明図である。
【図１０】本発明の一実施の形態による表示例を示した説明図である。
【符号の説明】
【００６２】
１０，１０ａ，１０ｂ…携帯電話端末装置、１１…アンテナ、１２…無線電話用通信回路、１３…音声処理部、１４…スピーカ、１５…マイクロフォン、１６…表示部、１７…操作部、１８…メモリ、１９…制御部、２１…振動部、２２…発光部、２３…制御ライン、２４…データライン、３０…ハードディスクドライブ装置、４０…非接触ＩＣカード機能部、４１…課金データ制御部、４２…アンテナ、５０…カメラ部、６０…音楽再生部、１１０…検索アプリケーションサーバ、１２０…インターネット、１３０…ＩＭＳコア
【図１】
2006190114.tif 000003
【図２】
2006190114.tif 000004
【図３】
2006190114.tif 000005
【図４】
2006190114.tif 000006
【図５】
2006190114.tif 000007
【図６】
2006190114.tif 000008
【図７】
2006190114.tif 000009
【図８】
2006190114.tif 000010
【図９】
2006190114.tif 000011
【図１０】
2006190114.tif 000012